(57)【要約】【課題】ＬＥＤチップから発生する熱を十分に放熱することができるばかりでなく、口金部分の寸法をできるだけ小さくすることが可能な、その両端部にＬＥＤチップからなる光源を有する直管型照明装置を提供する。【解決手段】円柱状本体、該円柱状本体の両端部に取り付けられる口金部分及び口金部分内に配置されるＬＥＤ基板を少なくとも備えてなる直管型照明装置であって、ＬＥＤ基板は、平坦な２つの面及び光源としてのＬＥＤチップを備え、口金部分は、第１の金属ケース、第２の金属ケース及びエンドキャップを備え、第１の金属ケースは、少なくとも１つの嵌合孔を有する円柱状底壁及び環状側壁により画定される第１の中空空間を備え、第２の金属ケースは、底板と環状側壁により画定される第２の中空空間を備え、第１の金属ケースの円柱状底壁と第２の金属ケースの底板との間にＬＥＤ基板が面接触するように挟持される。【選択図】図４
2012099439.tif 000002
【特許請求の範囲】
【請求項１】
円柱状本体、該円柱状本体の両端部に取り付けられる口金部分及び口金部分内に配置されるＬＥＤ基板を少なくとも備えてなる直管型照明装置において、
前記ＬＥＤ基板は、平坦な２つの面、及び一方の面に取り付けられている光源としてのＬＥＤチップを備え、
前記口金部分は、それぞれ、第１の金属ケース、第２の金属ケース及びエンドキャップを備え、
前記第１の金属ケースは、少なくとも１つの嵌合孔を有する円柱状底壁及び環状側壁により画定される第１の中空空間を備え、
前記第２の金属ケースは、底板と環状側壁により画定される第２の中空空間を備え、
前記第１の金属ケースの前記円柱状底壁と前記第２の金属ケースの前記底板との間に前記ＬＥＤ基板が少なくとも部分的に密着し、面接触するように挟持されることを特徴とする直管型照明装置。
【請求項２】
前記第２の金属ケースの環状側壁は、前記第２の中空空間を閉じている前記底板が設けられている側から順に、閉鎖側連結部、把持部及び開口側連結部を含み、
前記閉鎖側連結部が、前記第１の金属ケースの前記第１の中空空間内に嵌合されることで、前記第１の金属ケースの前記円柱状底壁と前記第２の金属ケースの前記底板との間で前記ＬＥＤ基板を挟持し得ることを特徴とする請求項１に記載の直管型照明装置。
【請求項３】
前記ＬＥＤ基板の平坦な両面と面接触する第１の金属ケースの前記円柱状底壁の面及び第２の金属ケースの前記底板の面は平坦に形成され、
前記第１の金属ケース、前記第２の金属ケース及びＬＥＤ基板は、締結手段により、前記第１の金属ケースの前記円柱状底壁と前記第２の金属ケースの前記底板との間に前記ＬＥＤ基板が少なくとも部分的に密着するように、一体的に締結されることを特徴とする請求項１に記載の直管型照明装置。
【請求項４】
前記第１の金属ケース及び／または第２の金属ケースは、その環状外周面の少なくとも一部に凹凸部が形成されていることを特徴とする請求項１〜３のいずれか１項に記載の直管型照明装置。
【発明の詳細な説明】
【技術分野】
【０００１】
本発明は、ＬＥＤチップを用いた直管型照明装置に関し、特に、その両端部にＬＥＤチップからなる光源を有する直管型の照明装置において、ＬＥＤチップから発する熱を放熱する構造を備える直管型照明装置に関する。
【背景技術】
【０００２】
近年、その両端部にＬＥＤチップからなる光源を配置する蛍光灯のような直管型照明装置が提案されてきている（特許文献１参照）。
【０００３】
このようなＬＥＤチップを光源とする照明装置においては、光量を増大化させる一方、その寿命を向上させるために、ＬＥＤチップから発生する熱を放熱する必要がある。特許文献１に示される照明具においては、送風機を備え、管内の空気を循環させるとともに、管外との対流を促進させることで、管内の温度上昇を抑えている。その他の放熱手段としては、例えば、特許文献２に示される発光ダイオードを用いた照明装置おいては、ヒートシンクのような放熱体を介して発光素子から発生する熱を放熱させる方法等も提案されている。
【先行技術文献】
【特許文献】
【０００４】
【特許文献１】特開２０１０−１２９２８２号公報
【特許文献２】特開２００３−１２４５２０号公報
【発明の概要】
【発明が解決しようとする課題】
【０００５】
しかしながら、その両端部にＬＥＤチップからなる光源を配置する直管型照明装置（以下、「ＬＥＤ蛍光灯」ともいう。）においては、上述したような送風機やヒートシンクなどを設けると、これらが設けられる口金部分の寸法を大きくする必要がある。それにより、ＬＥＤ蛍光灯は、蛍光灯としての全体の寸法が大きくなり、従来の蛍光灯と異なる寸法になる。そのため、従来の蛍光灯に代えて使用することが不可能となる恐れがある。あるいは、該ＬＥＤ蛍光灯を従来の蛍光灯に代えて使用できるように、従来の蛍光灯に適合する寸法にすると、照明部分としての蛍光灯部分の寸法が小さくなり、蛍光灯としての照射範囲を狭くしてしまう。
【０００６】
本発明の目的は、このような問題点に鑑み、簡単な構造でＬＥＤチップから発生する熱を十分に放熱することができるばかりでなく、口金部分の寸法をできるだけ小さくすることが可能な、その両端部にＬＥＤチップからなる光源を有する直管型照明装置を提供することにある。
【課題を解決するための手段】
【０００７】
上記目的を達成するために、本発明に係る直管型照明装置は、円柱状本体、該円柱状本体の両端部に取り付けられる口金部分及び口金部分内に配置されるＬＥＤ基板を少なくとも備えてなる直管型照明装置であって、ＬＥＤ基板は、平坦な２つの面及び一方の面に取り付けられている光源としてのＬＥＤチップを備え、口金部分は、それぞれ、第１の金属ケース、第２の金属ケース及びエンドキャップを備え、第１の金属ケースは、少なくとも１つの嵌合孔を有する円柱状底壁及び環状側壁により画定される第１の中空空間を備え、第２の金属ケースは、底板と環状側壁により画定される第２の中空空間を備え、第１の金属ケースの円柱状底壁と第２の金属ケースの底板との間にＬＥＤ基板が少なくとも部分的に密着し、面接触するように挟持されることを特徴とする。
【０００８】
本発明に係る直管型照明装置は、また、ＬＥＤ基板の平坦な両面と面接触する第１の金属ケースの円柱状底壁の面及び第２の金属ケースの底板の面は平坦に形成され、第１の金属ケース、第２の金属ケース及びＬＥＤ基板は、締結手段により、第１の金属ケースの円柱状底壁と第２の金属ケースの底板との間にＬＥＤ基板が少なくとも部分的に密着するように、一体的に締結されることを特徴とする。
【０００９】
本発明に係る直管型照明装置は、さらに、第２の金属ケースの環状側壁は、第２の中空空間を閉じている底板が設けられている側から順に、閉鎖側連結部、把持部及び開口側連結部を含み、閉鎖側連結部が、第１の金属ケースの第１の中空空間内に嵌合されることで、第１の金属ケースの円柱状底壁と第２の金属ケースの底板との間でＬＥＤ基板を挟持し得ることを特徴とする。
【００１０】
また、本発明に係る直管型照明装置は、第１の金属ケース及び／または第２の金属ケースは、その環状外周面の少なくとも一部に凹凸部が形成されていることが好ましい。
【発明の効果】
【００１１】
本発明に係る直管型照明装置は、その口金部分が第１及び第２の金属ケースの２つに分割され、ＬＥＤ基板が、第１及び第２の金属ケースの間に挟持されるように構成されることにより、ＬＥＤチップから発生する熱は、ＬＥＤ基板の両面から２つの金属ケース３１、３２を通って外部環境に容易に放熱され得る。特に、ＬＥＤ基板の平坦な表面及び裏面が、それぞれ、第２の金属ケースの底板の平坦な裏面及び第１の金属ケースの円柱状底壁の平坦な表面に密着し、面接触するように構成されることにより、ＬＥＤチップから発生する熱は、ＬＥＤ基板の本体を通って第１及び第２の金属ケースへ円滑に流れることが可能となり、放熱効果を向上させる。さらに、第１及び／または第２の金属ケースの外周面に凹凸部が形成されることで放熱効果がさらに向上する。さらに、本発明に係る直管型照明装置は、構造が簡単で組み立ても容易である。また、送風機やヒートシンクのような放熱のための部材を必要とすることがないので、口金部分をコンパクトな構造とすることができる。
【図面の簡単な説明】
【００１２】
【図１】本発明に係る直管型照明装置の斜視図である。
【図２】図１に示される直管型照明装置の口金部分を示し、（ａ）は、その正面図であり、（ｂ）は、その側面図である。
【図３】図２（ａ）のＩＩＩ−ＩＩＩ線に沿う口金部分の断面図である。
【図４】図１に示された直管型照明装置の口金部分の分解図である。
【図５】口金部分を構成する第１の金属ケースを示し、（ａ）は、正面図、（ｂ）は、側面図、（ｃ）は、裏面図である。
【図６】口金部分を構成する第２の金属ケースを示し、（ａ）は、正面図、（ｂ）は、側面図、（ｃ）は、裏面図である。
【発明を実施するための形態】
【００１３】
以下、図面を参照しながら本発明に係る直管型照明装置の実施態様について説明する。
【００１４】
図１に示されるように、本発明に係る直管型照明装置１は、従来の蛍光灯に代えて使用できるように構成されている、ＬＥＤチップを用いた蛍光灯タイプの照明装置である。該照明装置１は、照明部分としての円柱状本体１０、配線パイプ２０及び対をなして配置される口金部分３０、３０’を備えている。
【００１５】
円柱状本体１０は、例えば、アクリル樹脂から概略円柱状に形成され、直管型照明装置１の円柱状本体を構成しており、円柱状本体１０内にＬＥＤチップ４５（図３及び４参照）から照射される光を反射及び／または拡散して外部に案内する。なお、円柱状本体１０は、筒状の中空管であってもよい。
【００１６】
配線パイプ２０は、例えば、アルミニウムから細長い円筒状に形成される。該配線パイプ２０内には、一方の口金部分３０に配置されるＬＥＤ駆動回路５０と他方の口金部分３０’に配置されるＬＥＤ駆動回路５０とを電気的に接続する配線が収納される。配線パイプ２０は、円柱状本体１０の上方に該円柱状本体１０と平行に配置される。本実施態様では、配線パイプ２０を設けているが、必要に応じて省略されることが可能である。
【００１７】
本発明は、直管型照明装置１の筒状本体両端部に対をなして配置される口金部分３０、３０’に特徴があり、以下、この一対の口金部分３０、３０’について詳細に説明する。照明装置１の筒状本体の両端部に配置される２つの口金部分３０、３０’は、概略同じ形状をしているので、本明細書では、一方に配置される口金部分３０についてのみ説明する。
【００１８】
図２〜４に示されるように、口金部分３０は、第１の金属ケース３１、第２の金属ケース３２及びエンドキャップ３３を備えている。第１及び第２の金属ケース３１、３２及びエンドキャップ３３は、この順に、他方に配置される口金部分３０’の側から直管型照明装置１の端部に向かって配置されている。
【００１９】
第１の金属ケース３１は、例えば、アルミニウムのような熱伝導性に優れた金属材料から形成される。第１の金属ケース３１は、概略有底の円筒形状を成しており、環状側壁３１１、円柱状底壁３１２及び側壁３１１と底壁３１２とで画定される第１の中空空間３１３を備えている。円筒形状の第１の金属ケース３１は、後述するように放熱体として機能する。そのため、環状外周面全体の表面積が発熱体としてのＬＥＤ基板４０の表面４１１または裏面４１２の表面積より大きく設定されることが好ましい。
【００２０】
円柱状底壁３１２には、第１の嵌合孔３１４、第２の嵌合孔３１５が形成されている。第１の中空空間３１３は、正面側（図３においてエンドキャップ３３側）に向かって開放しており、第１及び第２の嵌合孔３１４、３１５は、いずれも、円柱状底壁３１２の裏面３１２２側（他方に配置される口金部分３０’側）に向かって開放している。
【００２１】
第１の嵌合孔３１４は、有底であって、底面部３１４１を有し、図３に示されるように、円柱状底壁３１２の裏面３１２２側から円柱状本体１０の一端部が挿入、嵌合される。第１の嵌合孔３１４は、また、矩形状の貫通孔３１６を介して第１の中空空間３１３に連通するように形成される。
【００２２】
第２の嵌合孔３１５は、第１の中空空間３１３に連通するように、円柱状底壁３１２を貫通する孔として形成されている。第２の嵌合孔３１５には、円柱状底壁３１２の裏面３１２２側から配線パイプ２０の一端部が挿入、嵌合される。なお、第１の嵌合孔３１４は、図３及び５（ｃ）に示されるように、第２の嵌合孔３１５の下側に配置される。
【００２３】
第１の中空空間３１３は、円筒形状をなしており、上述したように環状の側壁３１１と円柱状底壁３１２により画定されており、正面側（図３において、エンドキャップ３３側）に向かって開放している。第１の中空空間３１３を画定する円柱状底壁３１２の表面３１２１は、概ね平坦な面として形成されている。円柱状底壁３１２の表面３１２１の一部には、図５（ａ）に示されるように、所望の広さと比較的浅い深さを有する第１の凹部３１７及び第２の凹部３１８が形成されている。第１の凹部３１７は、矩形状貫通孔３１６を取り囲むように配置され、第２の凹部３１８は、第２の嵌合孔３１５を取り囲むように配置される。第１の凹部３１７と第２の凹部３１８は、これに限定されるものではないが、一部連結するように形成されていることが好ましい。また、本実施態様では、第１の凹部３１７は、第２の凹部３１８より若干浅く形成されているがこれに限定されるものではない。第１及び第２の凹部３１７、３１８内には、いずれも、ＬＥＤ基板４０に半田付けされるＬＥＤチップ４５への配線部分が収容される。円柱状底壁３１２には、さらに、それに限られるものではないが、第１の凹部３１６を挟んでその両側に、一対のネジ穴３１９、３１９が形成されている。該ネジ穴３１９、３１９は、円柱状底壁３１２の表面３１２１から裏面３１２２に向かって該円柱状底壁３１２を貫通していてもよい。
【００２４】
第１の中空空間３１３内には、正面側（図３において、エンドキャップ３３側）から第２の金属ケース３２の閉鎖側連結部３２１が挿入、嵌合される。第１の中空空間３１３を画定する環状側壁３１１の環状内周面には、少なくとも１つの位置決め用の隆起部３１１１が形成されていることが好ましい。なお、第１の中空空間３１３を画定する環状側壁３１１の環状内周面は、正面開放側に向かって次第に拡開する円錐状傾斜面として形成されてもよい。この場合、第１の中空空間３１３内に嵌合される第２の金属ケース３２の閉鎖側連結部３２１の環状外周面を底板３２４の裏面３２４１側（他方に配置される口金部分３０’側）に向かって次第にその外径が小さくなるように形成する。第１の金属ケース３１の環状側壁３１１の環状内周面及び第２の金属ケース３２の閉鎖側連結部３２１の環状外周面をこのように形成することにより、第１の中空空間３１３内への第２の金属ケース３２の挿入嵌合が円滑に且つ強固に行える。
【００２５】
また、環状側壁３１１の環状外周面には、後述する第２の金属ケース３２の環状側壁を構成する把持部３２２の環状外周部に設けられているように、ローレット切りや隆起部による凹凸部が設けられていてもよい。このような凹凸部を設けることで、放熱面積が大きくなるとともに、第１の金属ケース３１を把持し易くなる。
【００２６】
第１の中空空間３１３は、上述したように、円柱状底壁３１２の表面３１２１に形成されている第１の凹部３１７に開口する概略矩形状の貫通孔３１６を介して第１の嵌合孔３１４と連通している。第１の中空空間３１３は、さらに、第２の凹部３１８に開口する貫通孔としての第２の嵌合孔３１５にも連通している。第１の中空空間３１３内には、図３に示されるように組み立てられたとき、ＬＥＤ基板４０が収容され、さらに、第１の中空空間３１３内には、第２の金属ケース３２の閉鎖側連結部３２１が嵌合されることで、ＬＥＤ基板４０は、第１の金属ケース３１の円柱状底壁３１２と第２の金属ケース３２の底板３２４との間に挟持される。このとき、ＬＥＤ基板４０の一方の面を構成する表面４１１は、第２の金属ケース３２の底板３２４の平坦な裏面３２４１（他方に配置される口金部分３０’側の平面）と面接触する。同様に、ＬＥＤ基板４０の他方の面を構成する裏面４１２は、第１の金属ケース３１の円柱状底壁３１２の平坦な表面３１２１とそれぞれ面接触する。
【００２７】
第２の金属ケース３２も、熱伝導性に優れた金属材料から形成される。第２の金属ケース３２は、有底円筒形状を成しており、閉鎖側連結部３２１、把持部３２２及び開口側連結部３２３を含む環状側壁３２０、底板３２４及び環状側壁３２０と底板３２４とで囲まれる第２の中空空間３２５を備えている。また、円筒形状をなす第２の金属ケース３２も、第１の金属ケース３１と同様に放熱体として機能するので、その環状外周面全体の表面積が発熱体としてＬＥＤ基板４０の表面４１１または裏面４１２の表面積より大きく設定されることが好ましい。
【００２８】
第２の中空空間３２５は、正面側（図６（ｂ）において、左側）に向かって開放されている。第２の金属ケース３２に設けられている第２の中空空間３２５内には、ＬＥＤチップ４５から光を照射させるための電源や電気回路を含む駆動部５０が収容される。
【００２９】
環状側壁３２０を構成する閉鎖側連結部３２１は、上記第１の金属ケース３１に設けられている中空空間３１３内に嵌合される。閉鎖側連結部３２１の外周面には、上記第１の金属ケース３１の環状側壁３１１の内周面に形成されている位置決め用隆起部３１１１と係合する位置決め用溝部３２１１が設けられていることが好ましい。隆起部３１１１と溝部３２１１は、組み立て時にそれらを係合させることで第１の金属ケース３１と第２の金属ケース３２との間の相対的位置が正しく決められる。また、閉鎖側連結部３２１の環状外周面は、円錐傾斜面として、具体的には、底板３２４の裏面３２４１側（他方に配置される口金部分３０’側）に向かって次第にその外径が小さくなるように形成されてもよい。
【００３０】
環状側壁３２０を構成する把持部３２２の環状外周面には、ローレット切りや隆起部のような凹凸部３２２１が設けられることが好ましい。凹凸部３２２１を設けることにより放熱のための表面積が大きくなり、効率よく放熱することが可能となる。また、凹凸部３２２１を設けることで、第２の金属ケース３２が掴み易く、組み立てが容易となる。また、把持部３２２の環状外周面は、第１の金属ケース３１の中空空間３１３内から露出している。この露出している把持部３２２の環状外周面の表面積は、第１の金属ケース３１の中空空間３１３内と嵌合している閉鎖側連結部３２１の表面積より大きい表面積を有するように設定されることで、より効率良く放熱することが可能となる。
【００３１】
環状側壁３２０を構成する開口側連結部３２３は、エンドキャップ３３に設けられている第３の中空空間３３３内に嵌合され、密封される。開口側連結部３２３の環状外周面には、エンドキャップ３３の環状側壁３３１の環状内周面に形成されている隆起部３３３１に係合する位置決め溝３２３１が設けられていてもよい。開口側連結部３２３の環状外周面は、また、閉鎖側連結部３２１と同様に、円錐状傾斜面として、具体的には、開口端に向かって次第にその外径が小さくなるように形成されてもよい。なお、本実施態様では、閉鎖側連結部３２１及び開口側連結部３２３は、把持部３２２の外径より小さい外径を有するように形成されているがこれに限定されるものではない。
【００３２】
第２の中空空間３２５を画定する第２の金属ケース３２の底板３２４において、一方の面を構成する表面３２４２及び他方の面を構成する裏面３２４１は、概ね平坦な面として形成されている。底板３２４には、また、第２の金属ケース３２の空間３２５と第１の金属ケース３１の中空空間３１３の中空空間３１３２を連通する所望の大きさの貫通切り込み３２６が形成されている。この貫通切り込み３２６内には、駆動部５０とＬＥＤチップ４５とを電気的に接続する配線が配置される。底板３２４には、さらに、底板３２４を貫通する一対の穴３２９、３２９が形成されている。該穴３２９、３２９は、第１の金属ケース３１の円柱状底壁３１２に開けられた一対のネジ穴３１９、３１９に対応して形成される。
【００３３】
エンドキャップ３３は、電気的に絶縁性の合成樹脂材料から形成される。エンドキャップ３３は、有底円筒形状を成しており、環状側壁３３１、底板３３２及び環状側壁３３１と底板３３２とで囲まれる第３の中空空間３３３を備えている。第３の中空空間３３３は、裏面側（図４において、第１の金属ケース３１側）に向かって開放されている。エンドキャップ３３は、該エンドキャップ３３の第３の中空空間３３３内に第２の金属ケース３２の開口側連結部３２３が嵌合することで、第２の金属ケース３２の中空空間３２５を閉じ、密封する。底板３３２の正面側（図４において、左側）には、既存の蛍光灯設備のソケットに係合されるプラグとしてのピン３３４が設けられることが好ましい。
【００３４】
次に、第１の金属ケース３１の円柱状底壁３１２と第２の金属ケースの底板３２４との間に挟持されるＬＥＤ基板４０の構造について簡単に説明する。
【００３５】
ＬＥＤ基板４０は、一方の面を構成する概略平坦な表面４１１と該表面４１１と対向し他方の面を構成する概略平坦な裏面４１２を有する概略円盤状の基板本体４１、及び該基板本体４１の裏面４１２上に取り付けられた発光体としてのＬＥＤチップ４５を備えている。本実施態様では、基板本体４１の上方に配線用切り込み４７が、及び該基板本体４１の中間部に一対の締結ネジ用切り込み４９、４９が形成されている。基板本体４１の表面４１１またはその裏面４１２には、ＬＥＤチップ４５と駆動部５０を電気的に連結する配線が形成されている。
【００３６】
以上のような構成を備える口金部分３０を含む直管型照明装置１の組み立て方法について図３及び４を用いて簡単に説明する。なお、他方の口金部分３０’ 及び第１の金属ケース３１と導電ロット１０及び配線パイプ２０との結合は完了しているものとする。
【００３７】
最初に、ＬＥＤ基板４０が、該ＬＥＤ基板４０の基板本体４１に取り付けられているＬＥＤチップ４５が第１の金属ケース３１に設けられている矩形状貫通孔３１６内を通って第１の嵌合孔３１４内に臨むように、第１の金属ケース３１の第１の中空空間３１３内に配置される。この時、ＬＥＤ基板４０の基板本体４１の平坦な裏面４１２が第１の金属ケース３１の円柱状底壁３１２の平坦な表面３１２１に接触する。また、上述したように、第１の金属ケース３１の第１の嵌合孔３１４及び第２の嵌合孔３１５には、導電ロット１０及び配線パイプ２０がそれぞれ、嵌め込まれている。
【００３８】
次に、第２の金属ケース３２の閉鎖側連結部３２１が、該第２の金属ケース３２が第１の金属ケース３１との間でＬＥＤ基板４０を挟持するように、第１の金属ケース３１の中空空間３１３内に嵌め込まれる。このとき、ＬＥＤチップ４５からの配線がＬＥＤ基板４０の基板本体４１の配線用切り込み４７及び第２の金属ケース３２の底板３２４の貫通切り込み３２６を通って第２の金属ケース３２の第２の中空空間３２５内に導かれる。
【００３９】
続いて、ネジ６０などの締結手段により、第１の金属ケース３１及び第２の金属ケース３２が一体的に締結される。それにより、ＬＥＤ基板４０は、第１の金属ケース３１の円柱状底壁３１２の平坦な表面３１２１と第２の金属ケース３２の底板３２４の平坦な裏面３２４１との間に挟まれ、支持される。同時に、ＬＥＤ基板４０の基板本体４１の平坦な表面４１１及び平坦な裏面４１２は、それぞれ、第２の金属ケース３２の底板３２４の平坦な裏面３２４１及び第１の金属ケース３１の円柱状底壁３１２の平坦な表面３１２１に密着し、互いに面接触する。この場合、ＬＥＤ基板４０の基板本体４１の平坦な表面４１１及び平坦な裏面４１２と、第２の金属ケース３２の底板３２４の平坦な裏面３２４１及び第１の金属ケース３１の円柱状底壁３１２の平坦な表面３１２１とのそれぞれの密着は、部分的であってもよい。
【００４０】
次に、駆動部５０と口金部分３０及び３０’から案内されてきた配線とを連結した後、これらを第２の金属ケース３２の第２の中空空間３２５内に固定する。
【００４１】
続いて、エンドキャップ３３の第３の中空空間３３３内に第２の金属ケース３２の開口側連結部３２３を嵌め込み、エンドキャップ３３を固定するとともに、第２の金属ケース３２の中空空間３２５を密封する。以上のようにして形成された直管型照明装置１の組み立ては、完了する。
【００４２】
本発明に係る直管型照明装置１は、上述したように、その口金部分３０が第１及び第２の金属ケース３１及び３２の２つに分割されるとともに、ＬＥＤ基板４０が、第１及び第２の金属ケース３１、３２に挟まれ、支持されるように構成されている。このような構成により、ＬＥＤチップ４５から発生する熱は、２つの金属ケース３１、３２を介して外部環境に容易に放熱され得る。特に、ＬＥＤ基板４０の表面４１１及び裏面４１２が、それぞれ、第２の金属ケース３２の底板の裏面３２４１及び第１の金属ケース３１の円柱状底壁３１２の表面３１２１に密着し、面接触するように構成されている。それにより、ＬＥＤチップ４５から発生する熱は、ＬＥＤ基板４０の基板本体４１を通って第１及び第２の金属ケース３１及び３２へ円滑に流れることが可能であり、放熱効果を向上させる。さらに、第１及び／または第２の金属ケース３１及び３２の外周面に凹凸部が形成されることで放熱効果がさらに向上する。
【符号の説明】
【００４３】
１                直管型照明装置
１０              円柱状本体）
３０              口金部分
３１              第１の金属ケース
３１１            環状側壁
３１２            円柱状底壁
３１２１          （ＬＥＤ基板と接触する）表面
３１３            第１の中空空間
３２              第２の金属ケース
３２０            環状側壁
３２１            閉鎖側連結部
３２２            把持部
３２２１          凹凸部
３２３            開口側連結部
３２４            底板
３２４１          （ＬＥＤ基板と接触する）裏面
３２５            第２の中空空間
３３              エンドキャップ
４０              ＬＥＤ基板
４５              ＬＥＤチップ
【図１】
2012099439.tif 000003
【図２】
2012099439.tif 000004
【図３】
2012099439.tif 000005
【図４】
2012099439.tif 000006
【図５】
2012099439.tif 000007
【図６】
2012099439.tif 000008